(57)【要約】  【課題】薬剤含浸体の構造がシンプルで、薬剤の揮散効率が高く、しかも製造性にも優れた薬剤揮散装置の提供。  【課題の解決手段】細長状の吸液性シートを隣り合う谷折り部の頂辺間のピッチが２ｍｍ〜１０ｍｍとなるように連続に折り返し、かつその両端を合わせて環状に形成した通気性担体に、常温揮散性ピレスロイド系薬剤を３０〜５００ｍｇ含有させてなる薬剤含浸体が、環状の中空構造体を有するカートリッジに、前記谷折り部の各頂辺が前記中空構造体の底面に当接するように収納されており、このカートリッジを５００〜２０００ｒｐｍの速度で回転させるとともに、前記薬剤含浸体に作用する遠心力により該薬剤を揮散させるようになした薬剤揮散装置。  【選択図】図１
2007116967.tif 000002
【特許請求の範囲】
【請求項１】
細長状の吸液性シートを隣り合う谷折り部の頂辺間のピッチが２ｍｍ〜１０ｍｍとなるように連続に折り返し、かつその両端を合わせて環状に形成した通気性担体に、常温揮散性ピレスロイド系薬剤を３０〜５００ｍｇ含有させてなる薬剤含浸体が、環状の中空構造体を有するカートリッジに、前記谷折り部の各頂辺が前記中空構造体の底面に当接するように収納されており、このカートリッジを５００〜２０００ｒｐｍの速度で回転させるとともに、前記薬剤含浸体に作用する遠心力により該薬剤を揮散させるようになしたことを特徴とする薬剤揮散装置。
【請求項２】
吸液性シートがセルロース製で、その目付（ｇ／ｍ2）を厚さ（ｍｍ）で除したパラメーターで示した時、２５０〜８００（ｇ／ｍ2・ｍｍ）の範囲であることを特徴とする請求項１記載の薬剤揮散装置。
【請求項３】
カートリッジの内周側にファンを具備したことを特徴とする請求項１又は２記載の薬剤揮散装置。
【請求項４】
常温揮散性ピレスロイド系薬剤が、一般式（Ｉ）
【化１】
2007116967.tif 000006
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上であることを特徴とする請求項１ないし３のいずれか記載の薬剤揮散装置。
【発明の詳細な説明】
【技術分野】
【０００１】
本発明は、薬剤揮散装置に関するものである。
【背景技術】
【０００２】
害虫、例えば蚊や蚋などを駆除するために、薬剤を閉鎖空間（建築物や自動車の室内、アウトドアスポーツにおけるテント内など）全体に揮散、放出させる薬剤揮散方法として、熱エネルギーを利用した蚊取線香や電気蚊取マット、液体式電気蚊取（リキッド）が一般的である。一方、電源として電池を用い、常温で薬剤含浸体にファン等の風をあてて薬剤を揮散、放出させる送風式薬剤揮散装置も、携帯用として実用化されている。しかしながら、後者の送風式薬剤揮散装置のうち、薬剤含浸体を装置に固定しファンの風力のみで薬剤を揮散させるものは、たとえ、特開平１１−９２３０３号公報に記載されているように、複雑なハニカム構造を有する薬剤含浸体を採用したとしても揮散が十分効率的とはいえない。
【０００３】
そこで、本発明者らは、特開２００１−２４７４０６号公報において、粒状もしくは略粒状の薬剤含浸体を収納するカートリッジをモーターで回転させ、遠心力とファンによる風力を利用して薬剤を一層効率的に揮散、放出させる薬剤揮散方法を開示した。また、その後、粒状もしくは略粒状の吸液性担体の替わりに、シート状あるいはマット状の吸液性担体を用いる薬剤揮散装置（特開２００２−１７２３０号公報）を提案した。これらの方式は、薬剤含浸体が静置型のものと比べると薬剤揮散効率を飛躍的に向上させたが、改良の余地を残していた。
更に、特開２００５−１４３４２９号公報で開示した薬剤揮散装置は、吸液性シートを多層に重ねて通気性担体を形成したものであったが、製造が難しいという問題が免れ得なかった。
【特許文献１】特開平１１−９２３０３号公報
【特許文献２】特開２００１−２４７４０６号公報
【特許文献３】特開２００２−１７２３０号公報
【特許文献４】特開２００５−１４３４２９号公報
【発明の開示】
【発明が解決しようとする課題】
【０００４】
本発明は、薬剤含浸体の構造がシンプルで、薬剤の揮散効率が高く、しかも製造性にも優れた薬剤揮散装置を提供することを目的とする。
【課題を解決するための手段】
【０００５】
上記課題を解決するため、本発明は以下の構成を採用する。
（１）細長状の吸液性シートを隣り合う谷折り部の頂辺間のピッチが２ｍｍ〜１０ｍｍとなるように連続に折り返し、かつその両端を合わせて環状に形成した通気性担体に、常温揮散性ピレスロイド系薬剤を３０〜５００ｍｇ含有させてなる薬剤含浸体が、環状の中空構造体を有するカートリッジに、前記谷折り部の各頂辺が前記中空構造体の底面に当接するように収納されており、このカートリッジを５００〜２０００ｒｐｍの速度で回転させるとともに、前記薬剤含浸体に作用する遠心力により該薬剤を揮散させるようになした薬剤揮散装置。
（２）吸液性シートがセルロース製で、その目付（ｇ／ｍ2）を厚さ（ｍｍ）で除したパラメーターで示した時、２５０〜８００（ｇ／ｍ2・ｍｍ）の範囲である（１）記載の薬剤揮散装置。
（３）カートリッジの内周側にファンを具備した（１）又は（２）記載の薬剤揮散装置。
（４）常温揮散性ピレスロイド系薬剤が、一般式（Ｉ）
【化１】
2007116967.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上である（１）ないし（３）のいずれか記載の薬剤揮散装置。
【発明の効果】
【０００６】
本発明の薬剤揮散装置は、薬剤含浸体の構造がシンプルで製造上のメリットが大きく、しかも薬剤の揮散効率が高いため極めて有用である。そして、屋内や屋外で、蚊や蚋、ハエ、ユスリカなどの各種害虫に対してすぐれた殺虫、防虫効果を奏するものである。
【発明を実施するための最良の形態】
【０００７】
本発明の薬剤揮散装置は、吸液性シートを一定のピッチにて連続に折り返しジャバラ状に形成した通気性担体に、常温揮散性ピレスロイド系薬剤を３０〜５００ｍｇ含有させてなる薬剤含浸体をカートリッジに収納し、５００〜２０００ｒｐｍの速度で回転させる方式を採用する。
吸液性シートの材質としては、十分な薬剤保持能と相応の強度を有するものであれば限定されない。例えば、ウッド、リンターなどの天然由来パルプ材料、レーヨン、ビスコースなどのセルロース系繊維及び／又はポリエステル、ポリエチレン、ポリプロピレン、ポリアミドなどの合成繊維、ガラス繊維などがあげられ、これらの一種又は二種以上を絡合させて、紙、布、不織布、フェルトなどに成形したものが用いられる。
【０００８】
なかでも、セルロース製の紙（ろ紙、厚紙、ダンボール紙など）、布、不織布が好ましく、その目付（ｇ／ｍ2）を厚さ（ｍｍ）で除したパラメーターで表した場合、２５０〜８００（ｇ／ｍ2・ｍｍ）の範囲のものが好適である。２５０ｇ／ｍ2・ｍｍ未満であると、薬剤の揮散性が速くなりすぎる傾向があり、一方、８００ｇ／ｍ2・ｍｍを超えると、吸液性や製造性の点で困難を伴いやすい。
【０００９】
本発明では、前記吸液性シートを隣り合う谷折り部の頂辺間のピッチが２ｍｍ〜１０ｍｍとなるようにジャバラ状に折り返し、かつその両端を合わせて環状に通気性担体を形成する。そして、前記谷折り部の各頂辺がカートリッジの中空構造体の底面に当接するように薬剤含浸体をカートリッジに収納し、折り曲げられた層の間に通気性を確保したことに特徴を有する。すなわち、後記するように、カートリッジの内周面と外周面にはそれぞれ開口部が形成されているのであるが、本構成によればカートリッジを通り抜ける気流が妨げられることはない。
本発明で谷折り部の頂辺間のピッチとは、内周側で測ったときの平均値であり、２ｍｍ〜１０ｍｍの範囲に設定する。２ｍｍ未満では気流が流れにくくなり、一方１０ｍｍを越えると薬剤の含有量や薬剤含浸体の収納安定性に支障を生じることがある。
【００１０】
本発明で用いられる常温揮散性ピレスロイド系薬剤としては、例えば、一般式（Ｉ）
【化２】
2007116967.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物を例示することができるがこれらに限定されない。
【００１１】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、４−メトキシメチル−２，３，５，６−テトラフルオロベンジル−２，２，３，３−テトラメチルシクロプロパンカルボキシレート（以後、化合物Ｍと称す）、又は４−メチル−２，３，５，６−テトラフルオロベンジル−２，２，３，３−テトラメチルシクロプロパンカルボキシレート（以後、化合物Ｎと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１２】
本発明では、前記通気性担体に前述の薬剤を全体で３０〜５００ｍｇ含有させる。薬剤の含有量が３０ｍｇより少ないと、殺虫効力の持続性に不足を生じる場合があり、一方５００ｍｇを超えると薬剤保持能に支障をきたす恐れがあるので好ましくない。
薬剤を含有させるに際しては、必要に応じ溶剤、希釈剤、界面活性剤、分散剤、徐放化剤などを用い、また従来から知られている各種手段を採用することができる。更に、薬剤含浸体に、安定剤、香料、着色剤、帯電防止剤などを適宜配合してもよく、また薬剤組成物に、揮散性能に支障をきたさない程度において、揮散性の高い他の殺虫、忌避成分（例えば、ディート、ヒノキチオール、カルボン、サフロール、シトロネロール、ケイ皮アルデヒドなどの防虫香料など）、殺ダニ剤、殺菌剤、消臭剤などを添加して多目的組成物とすることもできる。
通常、通気性担体をカートリッジに組み入れた後、分注等の手段により薬剤を含浸させる方が製造上やりやすい。
【００１３】
本発明で使用するカートリッジは、回転中の薬剤含浸体を保持するためのもので、環状の中空構造体を有し、その内周面と外周面にはそれぞれ開口部が形成されている。内周側にファンを具備すれば、一層揮散効率を高めえるので好適である。
なお、代表的なカートリッジの形状としては、中空構造体の中心に位置している回転支持軸と連結するための軸心部を設け、かつ軸心部と中空構造体との間に複数のスポーク部を架設したものがあげられる。
【００１４】
カートリッジの周囲には、スリット状、メッシュ状などの保護バーを装着し、指などが回転体に触れないような構成にするとよい。また使用前に、カートリッジに収納された薬剤含浸体から薬剤が揮散することを防止するため、薬剤含浸体には遮蔽部材（例えば、シールテープなど）を貼付することが好ましく、このような遮蔽部材は通常使用直前に剥離される。
【００１５】
本発明で回転駆動装置として用いるモーターの仕様は、ＤＣ１．５Ｖ〜６．０Ｖ駆動で、５００〜２０００ｒｐｍの回転数を与えるものが適当である。また、電源としては、装置のシンプル化から乾電池駆動が好ましいが、１００Ｖ交流電源と共用可能にしたり、太陽電池を用いた構成にすることもできる。１００Ｖ交流電源を利用する場合、ＡＣアダプターを用いて電圧ドロップ、整流した後モーター用電源回路に供給される。ＡＣアダプターは、薬剤揮散装置に内蔵してもよいが、コンセントプラグと一体化すると、プラグと薬剤揮散装置間の電源コードを軽量化できるというメリットを有する。
【００１６】
こうして得られた本発明の薬剤揮散装置は、構造がシンプルで製造上のメリットが大きく、遠心力のみで薬剤を効率的に揮散させることができる。そして、屋内や屋外の蚊や蚋、ハエ、ユスリカなど、また洋服タンスやクローゼットなどのイガ、カツオブシムシなどの各種害虫に対してすぐれた殺虫、防虫効果を奏するので、極めて有用かつ実用的である。
【００１７】
次に、具体的実施例ならびに試験例に基づいて、本発明の薬剤揮散装置を更に詳細に説明する。
【実施例１】
【００１８】
図１は本発明の薬剤揮散装置の一例の断面図を示す。
図２は本発明の薬剤揮散装置に用いるカートリッジの一例の斜視図を示す。
薬剤揮散装置１は、吸液性シートをジャバラ状（谷折り部の頂辺のピッチ：７ｍｍ）に折り曲げて形成した通気性担体に常温揮散性ピレスロイド系薬剤を含有させてなる薬剤含浸体２と、これを収納する中空構造体（ドーナツ状）を有するカートリッジ３［外径：６ｃｍ、内径：４ｃｍで内周側にファン４を具備］と、これを回転させて薬剤含浸体２から薬剤を揮散させるモーター５を備えている。モーター５を回転させると遠心力が生じ、上面吸気口６から流入した空気は装置内部を通り排気口７を経て流出するが、この空気の流れにのって薬剤は空中に放散される。薬剤揮散装置１は、電源としてＡＣアダプター８を介する交流電源（電源コード９及びコネクター１０に接続）と乾電池１１を両用し、外表面には電源スイッチ１２、パイロットランプ１３が付設されている。
【００１９】
本実施例では、３６０時間用として、化合物Ｈ［４−メトキシメチル−２，３，５，６−テトラフルオロベンジル−２，２−ジメチル−３−（１−プロペニル）シクロプロパンカルボキシレート］１００ｍｇを、幅８ｍｍのリンターパルプシート（目付：１１２ｇ／ｍ2、厚さ：０．２７ｍｍ、目付／厚さパラメーター：４１５ｇ／ｍ2・ｍｍ）をピッチ７ｍｍにてジャバラ状に折り返して形成した通気性担体に含有させ、薬剤含浸体２を調製した。
薬剤含浸体２は、その谷折り部の頂辺がカートリッジ３の中空構造体の底面に当接するように収納されており、モーター作動用電源をＤＣ３．０Ｖ、モーター５の回転数を１２００ｒｐｍとして本実施例の薬剤揮散装置１を得た。
【００２０】
本薬剤揮散装置１を６畳の部屋の中央に置き、ＡＣアダプター７を１００Ｖ電源に接続してモーター５を作動させた。
本薬剤揮散装置１は、遠心力とファンによる風力の作用で部屋内の薬剤拡散性にすぐれ、１日あたり８時間の使用で延べ４５日間にわたり蚊の防除に有効であった。
【実施例２】
【００２１】
実施例１で用いた薬剤の替わりに、化合物Ｌ［２，３，５，６−テトラフルオロベンジル−２，２，３，３−テトラメチルシクロプロパンカルボキシレート］９０ｍｇを使用し、また、幅６ｍｍのウッドパルプシート（目付：１１２ｇ／ｍ2、厚さ：０．２５ｍｍ、目付／厚さパラメーター：４４８ｇ／ｍ2・ｍｍ）をピッチ５ｍｍでジャバラ状に折り返して形成した通気性担体に含有させ、薬剤含浸体２を調製した。
この薬剤含浸体２を、ファンを具備しない円盤状のカートリッジ３に収納し、太陽電池と充電器を備えた本発明の薬剤揮散装置１を得た。
【００２２】
本薬剤揮散装置１を日差しのあたる屋外でしばらく充電後起動させ、その後８時間にわたり犬小屋で吊り下げ使用した。太陽電池からの電力供給は十分で、使用中余剰電力は蓄電された。このため、本薬剤揮散装置１は、１日あたり８時間の使用で延べ３０日間にわたり蚊、ユスリカなどの防除に有効で、犬は害虫に悩まされることはなかった。
【実施例３】
【００２３】
実施例１に準じ、モーター作動用電源がＤＣ３．０Ｖで、３６０時間用の各種薬剤揮散装置を作製した。なお、カートリッジ３の内周側にファンを設けず、また乾電池１１を用いる場合は、単３電池２個（計３Ｖ）とした。
６畳の部屋で使用し、開始直後、１８０時間後及び３６０時間後に、蚊成虫に対する殺虫効力を調べた。結果は市販の蚊取りリキッドと比べて、○、△、×で評価し、併せて表１に示した。
○；市販の蚊取りリキッドと比べて優れる、  △；ほぼ同等、  ×；劣る
【００２４】
【表１】
2007116967.tif 000005
【００２５】
本発明の薬剤揮散装置は、３６０時間の長期にわたり優れた殺虫効力を保持し、製造上の面でも極めて有利であった。なお、通気性担体は、その折り返しの隣り合う谷折り部頂辺間の距離を２ｍｍ〜１０ｍｍに設定する必要があり、また、その材質を目付／厚さパラメーターとして表した時、２５０〜８００（ｇ／ｍ2・ｍｍ）の範囲にあるものがより好ましかった。
これに対し、比較例１のフェノトリンのように常温で非揮発性のピレスロイド系薬剤では本発明の薬剤揮散システムに合致せず、比較例２の如く薬剤含浸量が３０ｍｇより少ないと殺虫効力が長期間持続しなかった。また、比較例３及び４から明らかなように、谷折り部頂辺間の距離が２ｍｍ未満であると空気の流れが悪く揮散性が低下し、一方１０ｍｍを越えると揮散が早過ぎる傾向があった。比較例５及び６の結果、モーターの回転速度が５００ｒｐｍ未満の場合揮散効率が低く、一方２０００ｒｐｍを超えると初期の揮散量が高すぎるうえ、モーターの耐久性に問題を生じ好ましくなかった。更に比較例７のように非通気性の薬剤含浸体は不適であり、また薬剤含浸体を回転させない従来型の薬剤揮散装置（比較例８）においては殺虫効力が低く、ファンの風力だけでは揮散効率を高めえないことが確認された。
【図面の簡単な説明】
【００２６】
【図１】本発明の薬剤揮散装置の一例の断面図を示す。
【図２】本発明の薬剤揮散装置に用いるカートリッジの一例の斜視図である。
【図３】（a）は本発明の薬剤揮散装置に用いる吸液性シートの斜視図である。            （b）は一定のピッチでジャバラ状に折り返した吸液性シートの斜視図で              ある。
【符号の説明】
【００２７】
１：薬剤揮散装置
２：薬剤含浸体
３：カートリッジ
４：ファン
５：モーター
６：吸気口
７：排気口
８：ＡＣアダプター
９：電源コード
１０：コネクター
１１：乾電池
１２：電源スイッチ
１３：パイロットランプ
【図１】
2007116967.tif 000007
【図２】
2007116967.tif 000008
【図３】
2007116967.tif 000009